(57)【特許請求の範囲】
【請求項１】
周囲、長さ及び前記長さより小さい幅及び前記幅より小さい高さを有する電子装置の逆Ｆ字型アンテナにおいて、
前記周囲を取り囲む導電性ベゼルで形成された共振素子アームであって、当該共振素子アームは電子装置の高さを横切って延びる導電性ベゼルの第２のセグメントによって少なくとも部分的に形成され、前記第２のセグメントは電子装置の第１の外面の一部を形成し、当該第１の外面は電子装置の第２の外面に対して垂直である、共振素子アームと、
前記共振素子アームに接続されたフィード脚と、
接地部と、
前記共振素子アームの端を前記接地部に接続する短絡脚であって、当該短絡脚は電子装置の高さを横切って延びる導電性ベゼルの第１のセグメントによって少なくとも部分的に形成され、前記第１のセグメントは前記電子装置の第２の外面の一部を形成し、当該第２の外面は前記電子装置の第１の外面に対して垂直である、短絡脚と、
前記フィード脚に接続された第１のアンテナフィード端子と、
前記接地部に結合された第２のアンテナフィード端子と、
前記短絡脚と並列に前記共振素子アームと前記接地部との間に接続された付加的な短絡脚と、
を備えたアンテナ。
【請求項２】
前記導電性ベゼルは少なくとも１つのギャップによって遮断される、請求項１に記載のアンテナ。
【請求項３】
誘電体部材と、該誘電体部材上の導電性トレースとを更に備え、前記共振素子アームは、前記導電性ベゼルの第２のセグメントから部分的に及び前記誘電体部材上の導電性トレースから部分的に形成される、請求項２に記載のアンテナ。
【請求項４】
前記共振素子アームの一部分を形成するスプリングを更に備えた、請求項３に記載のアンテナ。
【請求項５】
前記スプリングは、その第１端が前記導電性ベゼルの第２のセグメントに接続され、そしてその第２端が前記誘電体部材上の導電性トレースに接続される、請求項４に記載のアンテナ。
【請求項６】
前記スプリングは、前記導電性ベゼルの第２のセグメントに溶接される、請求項５に記載のアンテナ。
【請求項７】
誘電体部材と、該誘電体部材上の導電性トレースとを更に備え、前記共振素子アームは、前記導電性ベゼルの第２のセグメントから部分的に及び前記誘電体部材上の導電性トレースから部分的に形成される、請求項１に記載のアンテナ。
【請求項８】
前記導電性ベゼルの第２のセグメントと前記導電性トレースとの間に接続されたスプリングを更に備えた、請求項７に記載のアンテナ。
【請求項９】
内部及び外部を有する電子装置の周囲に複数の周囲縁部を有する前記電子装置の逆Ｆ字型アンテナにおいて、
前記複数の周囲縁部の１つに沿って置かれた導電性ハウジング構造体のセグメントから形成された共振素子アームであって、前記導電性ハウジング構造体のセグメントは誘電体が充填されたギャップによって前記導電性ハウジング構造体の付加的なセグメントから分離され、前記導電性ハウジング構造体のセグメントは前記誘電体が充填されたギャップに隣接する前記電子装置の内部へ向けて延びる部分を含む、共振素子アームと、
接地部と、
前記共振素子アームを前記接地部に接続する短絡脚と、
誘電体部材と、
誘電体部材上の導電性トレースと、
を備え、
前記導電性ハウジング構造体のセグメントは、前記電子装置の前記周囲縁部を形成し、  前記導電性トレースは、導電性ハウジング構造体のセグメントに接続され、前記共振素子アームは、導電性ハウジング構造体のセグメントから形成される第１の部分と、導電性トレースから形成される第２の部分とを備える、アンテナ。
【請求項１０】
前記逆Ｆ字型アンテナは、更に、前記共振素子アームに接続されたフィード脚を含む、請求項９に記載の逆Ｆ字型アンテナ。
【請求項１１】
前記短絡脚は、導電性ハウジング構造体の一部分で形成される、請求項１０に記載の逆Ｆ字型アンテナ。
【請求項１２】
前記共振素子アームを前記接地部に接続する付加的な短絡脚を更に備えた、請求項１１に記載の逆Ｆ字型アンテナ。
【請求項１３】
前記共振素子アームは、少なくとも１つの１８０°屈曲部を含む、請求項１２に記載の逆Ｆ字型アンテナ。
【請求項１４】
前記共振素子アームは、屈曲部を有し、そして前記導電性ハウジング構造体は、前記共振素子アームの屈曲部にギャップを有する、請求項９に記載の逆Ｆ字型アンテナ。
【発明の詳細な説明】
【技術分野】
【０００１】
本発明は、一般的に、ワイヤレス通信回路に関し、より詳細には、ワイヤレス通信回路を有する電子装置に関する。
【０００２】
本出願は、２０１０年４月１日に出願された米国特許出願第１２／７５２，９６６号の優先権を主張するもので、この出願は、参考としてここにそのまま援用される。
【０００３】
本出願に開示されて請求される発明は、アップルのｉＰｈｏｎｅ４の原型が２０１０年３月２５日にアップルのエンジニアから盗まれたとされるときにアップルの許可なく早目に公開された。本出願のベースとなる米国優先出願は、この窃盗とされるもの以前に出願されていない。
【背景技術】
【０００４】
コンピュータ及びハンドヘルド電子装置のような電子装置が益々普及してきている。このような装置には、ワイヤレス通信能力がしばしば設けられる。例えば、電子装置は、セルラー電話帯域を使用して通信するためにセルラー電話回路のような長距離ワイヤレス通信回路を使用することができる。電子装置は、短距離のワイヤレス通信リンクを使用して近傍の装置との通信を取り扱うこともできる。例えば、電子装置は、２．４ＧＨｚ及び５ＧＨｚのＷｉＦｉ（登録商標）（ＩＥＥＥ８０２．１１）帯域、並びに２．４ＨＧｚのＢｌｕｅｔｏｏｔｈ（登録商標）帯域を使用して通信することができる。ある装置は、１５７５ＭＨｚのグローバルポジショニングシステム（ＧＰＳ）信号を受信するためにワイヤレス回路を合体している。
【０００５】
フォームファクタの小さいワイヤレス装置に対する消費者の需要を満足するため、製造者は、コンパクトな構造を使用するアンテナコンポーネントのようなワイヤレス通信回路を実施するよう努力を続けている。同時に、金属の装置ハウジングコンポーネントのような導電性構造体を電子装置に含ませることが望まれることもある。導電性コンポーネントは、高周波性能に影響するので、導電性構造体を含む電子装置にアンテナを合体するときには注意が必要となる。
【発明の概要】
【発明が解決しようとする課題】
【０００６】
そこで、ワイヤレス電子装置のための改良されたワイヤレス通信回路を提供できることが望まれる。
【課題を解決するための手段】
【０００７】
アンテナ構造体を備えた電子装置が提供される。逆Ｆ字型アンテナは、第１及び第２の通信帯域において動作するように構成される。電子装置は、伝送線を使用してアンテナに結合される高周波トランシーバ回路を備えている。伝送線は、正の導体及び接地導体を有する。アンテナは、伝送線の正の導体及び接地導体が各々結合される正のアンテナフィード端子及び接地アンテナフィード端子を有する。
【０００８】
電子装置は、周囲が長方形である。電子装置の前面に長方形のディスプレイがマウントされる。電子装置のハウジング及びディスプレイの周囲には導電性側壁構造体が延びる。導電性側壁構造体は、ディスプレイのベゼルとして働く。
【０００９】
ベゼルは少なくとも１つのギャップを含む。ギャップには、プラスチックのような固体誘電体が充填される。アンテナは、主たる共振素子アームを有する。共振素子アームは、屈曲部で折り返される。共振素子アームの第１のセグメントは、ベゼルの一部分から形成される。共振素子アームの第２のセグメントは、誘電体部材上の導電性トレースで形成される。共振素子アームの第１及び第２のセグメントを接続するのに、屈曲部付近のスプリングが使用される。屈曲部は、ベゼルのギャップに位置される。
【００１０】
第１及び第２の平行な短絡脚は、アンテナ共振素子アームを接地点に接続する。アンテナ共振素子と第１のアンテナフィード端子との間にフィード脚が接続される。第２のアンテナフィード端子が接地点に接続される。第１の短絡脚は、ベゼルの一部分から形成される。
【００１１】
本発明の更に別の特徴、その性質及び種々の効果は、添付図面及び好ましい実施形態の以下の詳細な説明から明らかとなろう。
【図面の簡単な説明】
【００１２】
【図１】本発明の一実施形態によるワイヤレス通信回路を伴う例示的電子装置の斜視図である。
【図２】本発明の一実施形態によるワイヤレス通信回路を伴う例示的電子装置の回路図である。
【図３】本発明の一実施形態によるワイヤレス通信回路を伴う例示的電子装置の断面図である。
【図４】本発明の一実施形態による例示的な逆Ｆ字型アンテナの図である。
【図５】本発明の一実施形態による例示的な折り返し逆Ｆ字型アンテナの概略図である。
【図６】電子装置の上面図で、本発明の一実施形態による短絡脚を有する折り返し逆Ｆ字型アンテナが電子装置にどのように設けられるか示す図である。
【図７】本発明の一実施形態による図６に示す形式のアンテナの性能を示すスミスチャートである。
【図８】本発明の一実施形態による短絡脚がない場合に図６に示す形式のアンテナの性能を示すグラフである。
【図９】本発明の一実施形態による短絡脚がある場合に図６に示す形式のアンテナの性能を示すグラフである。
【図１０】本発明の一実施形態により電子装置の周囲を取り巻く導電性ベゼルの一部分を使用して形成された図６に示す形式のアンテナを含む例示的電子装置の上面図である。
【発明を実施するための形態】
【００１３】
電子装置には、ワイヤレス通信回路が設けられる。このワイヤレス通信回路は、複数のワイヤレス通信帯域でのワイヤレス通信をサポートするのに使用される。ワイヤレス通信回路は、１つ以上のアンテナを含む。
【００１４】
アンテナは、逆Ｆ字型アンテナを含む。電子装置のための逆Ｆ字型アンテナは、折り返しアームを含む。折り返しアームの使用は、アンテナのサイズを最小にする上で助けとなる。逆Ｆ字型アンテナの短絡構造は、複数の通信帯域においてアンテナを効率的に動作できるようにすることでアンテナの性能を向上させることができる。
【００１５】
逆Ｆ字型アンテナの導電性構造体は、必要に応じて、導電性電子装置構造体から形成される。導電性電子装置構造体は、導電性ハウジング構造体を含む。ハウジング構造体は、装置の周囲を取り巻く導電性構造体を含む。この構造体は、装置の４つの縁全部を取り巻く導電性金属バンドの形態をとる。ディスプレイ及び他のコンポーネントは、金属バンドの境界内で装置にマウントされる。この点に関して、金属バンドは、ベゼルとして働き、それ故、ここでは、時々、ベゼル又は導電性ベゼル構造体と称される。
【００１６】
ベゼルにはギャップ構造体が形成される。ギャップの存在は、例えば、折り返し逆Ｆ字型アンテナ共振素子アームにおいて折り返し部の位置を定義する上で助けとなる。
【００１７】
適当な電子装置には、装置ベゼルのような導電性装置構造体に基づく逆Ｆ字型アンテナ構造体を含むワイヤレス回路が設けられる。例えば、この形式の逆Ｆ字型アンテナ構造体は、デスクトップコンピュータ、ゲームコンソール、ルーター、ラップトップコンピュータ、等の電子装置に使用される。１つの適当な構成では、ポータブル電子装置のように内部スペースが比較的貴重な比較的コンパクトな電子装置にベゼルベースの逆Ｆ字型アンテナ構造体が設けられる。
【００１８】
本発明の一実施形態による例示的なポータブル電子装置が図１に示されている。図１の例示的ポータブル電子装置１０のようなポータブル電子装置は、ラップトップコンピュータ又は小型ポータブルコンピュータ、例えば、ウルトラポータブルコンピュータ、ネットブックコンピュータ、及びタブレットコンピュータである。ポータブル電子装置は、若干小さな装置でもある。この小さなポータブル電子装置は、例えば、腕時計装置、ペンダント装置、ヘッドホーン及びイヤホン装置、並びに他の着用型及び小型装置を含む。１つの適当な構成では、ポータブル電子装置は、セルラー電話のようなハンドヘルド電子装置である。
【００１９】
ポータブル電子装置においてスペースは貴重である。典型的に、効率的なアンテナ動作に挑戦する導電性構造体も存在する。例えば、ポータブル電子装置ハウジングの周囲のある部分又は全体に導電性ハウジング構造体が存在する。
【００２０】
このようなポータブル電子装置ハウジング構成体では、導電性ハウジング構造体を使用してアンテナのある部分が形成される逆Ｆ字型アンテナを使用するのが特に好都合である。それ故、ここでは、ハンドヘルド装置のようなポータブル装置の使用を一例として時々述べるが、適当な電子装置には、必要に応じて、逆Ｆ字型アンテナ構造体が設けられる。
【００２１】
ハンドヘルド装置は、例えば、セルラー電話、ワイヤレス通信能力をもつメディアプレーヤ、ハンドヘルドコンピュータ（時々パーソナルデジタルアシスタントとも称される）、リモートコントローラ、グローバルポジショニングシステム（ＧＰＳ）装置、及びハンドヘルドゲーム装置である。ハンドヘルド装置及び他のポータブル装置は、必要に応じて、複数の従来装置の機能を含む。多機能装置は、例えば、メディアプレーヤ機能を含むセルラー電話、ワイヤレス通信能力を含むゲーム装置、ゲーム及びｅ−メール機能を含むセルラー電話、並びにｅ−メールを受信し、移動電話コールをサポートしそしてウェブブラウジングをサポートするハンドヘルド装置を包含する。これらは、単なる例示に過ぎない。図１の装置１０は、適当なポータブル又はハンドヘルド電子装置である。
【００２２】
装置１０は、ハウジング１２を備え、そしてワイヤレス通信を取り扱うための少なくとも１つのアンテナを備えている。時々、ケースとも称されるハウジング１２は、プラスチック、ガラス、セラミック、炭素ファイバ複合物及び他の複合物、金属、他の適当な材料、或いはそれら材料の組み合わせを含む適当な材料で形成される。ある状況では、ハウジング１２の部品は、ハウジング１２内に配置された導電性アンテナ素子の動作を妨げないように、誘電体又は他の低導電率材料から形成される。他の状況では、ハウジング１２は金属素子で形成される。
【００２３】
装置１０は、必要に応じて、ディスプレイ１４のようなディスプレイを有する。ディスプレイ１４は、例えば、容量性タッチ電極を組み込んだタッチスクリーンである。ディスプレイ１４は、発光ダイオード（ＬＥＤ）、有機ＬＥＤ（ＯＬＥＤ）、プラズマセル、電子インク素子、液晶ディスプレイ（ＬＣＤ）コンポーネント、又は他の適当な画像ピクセル構造体から形成される画像ピクセルを含む。カバーガラス部材がディスプレイ１４の表面をカバーする。ボタン１９のようなボタンがカバーガラスの開口を通過している。
【００２４】
ハウジング１２は、ハウジング側壁構造体１６のような側壁構造体を含む。この構造体１６は、導電性材料を使用して実施される。例えば、構造体１６は、ディスプレイ１４の長方形の周囲を実質的に取り巻く導電性リング状部材を使用して実施される。この形式の構造体は、時々、装置１０の周囲にバンドを形成すると言われ、従って、側壁構造体１６は、時々、バンド構造体、バンド部材、又はバンドと称される。
【００２５】
構造体１６は、ステンレススチール、アルミニウムのような金属、又は他の適当な材料で形成される。構造体１６を形成するのに、１つ、２つ、又は３つ以上の個別の構造体が使用されてもよい。構造体１６は、装置１０の前面（上面）にディスプレイ１４を保持するベゼルとして働く。それ故、構造体１６は、ここでは、時々、ベゼル構造体１６又はベゼル１６と称される。
【００２６】
ベゼル１６は、装置１０及びディスプレイ１４の長方形周囲に延びる。ベゼル１６は、装置１０の上部（即ち、ディスプレイ１４の表面付近に横たわる周囲領域）に限定されてもよいし、又は装置１０の側壁の全垂直高さを覆ってもよい（例えば、図１の例に示すように）。ベゼル１６又は他の側壁構造体がハウジング１２の後壁と部分的又は完全に一体化される構成（例えば、単一本体型構造）のような他の構成も考えられる。
【００２７】
ベゼル（バンド）１６は、厚み（寸法ＴＴ）が約０．１ｍｍないし３ｍｍである（一例として）。ベゼル１６の側壁部分は、実質的に垂直（垂直軸Ｖに平行）でもよいし、又はカーブしていてもよい。図１の例では、ベゼル１６は、比較的平らな表面を有する。軸Ｖに平行に、ベゼル１６の寸法ＴＺは、約１ｍｍないし２ｃｍである（一例として）。ベゼル１６のアスペクト比Ｒ（即ち、ＴＺ対ＴＴの比Ｒ）は、典型的に１より大きい（即ち、Ｒは、１以上であるか、２以上であるか、４以上であるか、１０以上であるか、等々である）。
【００２８】
ベゼル１６が均一な断面を有する必要はない。例えば、ベゼル１６の上部は、必要に応じて、ディスプレイ１４を位置保持する上で役立つ内方に突出したリップを有する。又、必要に応じて、ベゼル１６の底部に拡大リップがあってもよい（例えば、装置１０の後面の平面内に）。図１の例では、ベゼル１６は、実質的にまっすぐな垂直側壁を有する。これは、単なる例示に過ぎない。ベゼル１６の内面及び外面は、カーブしてもよいし、又は他の適当な形状でもよい。
【００２９】
ディスプレイ１４は、導電性構造体を含む。導電性構造体は、容量性電極のアレイ、ピクセル素子をアドレスするための導電性ライン、ドライバ回路、等を含む。これらの導電性構造体は、高周波信号を阻止する傾向がある。それ故、アンテナ信号が阻止されないように、装置の平らな後面のある部分又は全体をガラス又はプラスチックのような誘電体材料で形成するのが望ましい。必要に応じて、ハウジング１２の後部は、金属で形成され、そして装置１０の他の部分は、誘電体で形成される。例えば、アンテナ構造体は、カバーガラスで覆われて導電性コンポーネントを含まないディスプレイ１４の部分のようなディスプレイ１４の誘電体部分の下に配置される。
【００３０】
ベゼル１６の部分にはギャップ構造体が設けられる。例えば、ベゼル１６には、図１に示すように、ギャップ１８のような１つ以上のギャップが設けられる。ギャップ１８は、ハウジング１０及びディスプレイ１２のハウジングの周囲に存在し、それ故、時々、周囲ギャップと称される。ギャップ１８は、ベゼル１６を分割する（即ち、一般的に、ギャップ１８には、ベゼル１６の導電性部分が存在しない）。それ故、ギャップ１８は、ベゼル１６が装置１０の周囲に延びるときにベゼル１６を遮断する。このようにベゼル１６内にギャップ１８が介在されるので、ベゼル１６の電気的な連続性が途切れる（即ち、ギャップ１８にまたがってベゼル１６に開路が生じる）。
【００３１】
図１に示すように、ギャップ１８には、誘電体が充填される。例えば、ギャップ１８には空気が充填される。装置１０に中断のない滑らかな見掛けを与える上で助けとなり且つベゼル１６が審美的に魅力のあるものにするよう保証するため、ギャップ１８には、プラスチックのような固体の（空気でない）誘電体が充填される。ベゼル１６及びギャップ１８のような複数のギャップ（そしてそれに関連したプラスチックフィラー構造体）は、装置１０の１つ以上のアンテナの一部分を形成する。例えば、ベゼル１６の部分及びギャップ１８のような複数のギャップは、内部導電性構造体に関連して、１つ以上の逆Ｆ字型アンテナを形成する。内部導電性構造体は、プリント回路板構造体、フレーム部材又は他の支持構造体、プラスチック支持体の表面に形成された導電性トレース、スクリューのような固定具、スプリング、金属のストリップ、ワイヤ、及び他の適当な導電性構造体を含む。
【００３２】
典型的なシナリオでは、装置１０は、上部アンテナ及び下部アンテナを有する（一例として）。上部アンテナは、例えば、領域２２において装置１０の上端に形成される。下部アンテナは、例えば、領域２０において装置１０の下端に形成される。
【００３３】
上部アンテナは、例えば、ギャップ１８の付近におけるベゼル１６の部分から部分的に形成される。同様に、下部アンテナは、ベゼル１６の部分及びそれに対応するベゼルギャップから形成される。
【００３４】
装置１０のアンテナは、当該通信帯域をサポートするのに使用される。例えば、装置１０は、ローカルエリアネットワーク通信、ボイス及びデータセルラー電話通信、グローバルポジショニングシステム通信（ＧＰＳ）通信、Ｂｌｕｅｔｏｏｔｈ（登録商標）通信、等をサポートするためのアンテナ構造体を備えている。例えば、装置１０の領域２０の下部アンテナは、１つ以上のセルラー電話帯域においてボイス及びデータ通信を取り扱うのに使用され、一方、装置１０の領域２２の上部アンテナは、１５７５ＭＨｚのグローバルポジショニングシステム（ＧＰＳ）信号を取り扱うための第１帯域、並びに２．４ＧＨｚのＢｌｕｅｔｏｏｔｈ（登録商標）及びＩＥＥＥ８０２．１１（ワイヤレスローカルエリアネットワーク）信号を取り扱うための第２帯域においてカバレージを与える（一例として）。下部アンテナ（この例における）は、ループアンテナ設計を使用して実施され、そして上部アンテナは、逆Ｆ字型アンテナ設計を使用して実施される。
【００３５】
例示的な電子装置の回路図が図２に示されている。図の装置１０は、ポータブルコンピュータ、例えば、ポータブルタブレットコンピュータ、移動電話、メディアプレーヤ機能を伴う移動電話、ハンドヘルドコンピュータ、リモートコントロール、ゲームプレーヤ、グローバルポジショニングシステム（ＧＰＳ）装置、それら装置の組み合わせ、又は他の適当な電子装置である。
【００３６】
図２に示すように、装置１０は、記憶及び処理回路２８を備えている。この記憶及び処理回路２８は、ハードディスクドライブ記憶装置、不揮発性メモリ（例えば、ソリッドステートドライブを形成するように構成されたフラッシュメモリ又は他の電気的にプログラム可能なリードオンリメモリ）、揮発性メモリ（例えば、スタティック又はダイナミックランダムアクセスメモリ）、等の記憶装置を含む。記憶及び処理回路２８の処理回路は、装置１０の動作を制御するのに使用される。この処理回路は、１つ以上のマイクロプロセッサ、マイクロコントローラ、デジタル信号プロセッサ、特定用途向け集積回路、等に基づくものである。
【００３７】
記憶及び処理回路２８は、インターネットブラウジングアプリケーション、ボイスオーバーインターネットプロトコル（ＶＯＩＰ）電話コールアプリケーション、ｅ−メールアプリケーション、メディア再生アプリケーション、オペレーティングシステム機能、等のソフトウェアを装置１０上で実行するのに使用される。外部装置との対話をサポートするために、記憶及び処理回路２８は、通信プロトコルを具現化するのにも使用される。記憶及び処理回路２８を使用して具現化される通信プロトコルは、インターネットプロトコル、ワイヤレスローカルエリアネットワークプロトコル（例えば、ＩＥＥＥ８０２．１１プロトコル、時々、ＷｉＦｉ（登録商標）とも称される）、他の短距離ワイヤレス通信リンクのためのプロトコル、例えば、Ｂｌｕｅｔｏｏｔｈ（登録商標）プロトコル、セルラー電話プロトコル、等を含む。
【００３８】
入力／出力回路３０は、データを装置１０へ供給できるようにすると共に、データを装置１０から外部装置へ供給できるようにするために使用される。タッチスクリーンや他のユーザ入力インターフェイスのような入力／出力装置３２は、入力／出力回路３２の一例である。入力／出力装置３２は、ボタン、ジョイスティック、クリックホイール、スクロールホイール、タッチパッド、キーパッド、キーボード、マイクロホン、カメラ、等も含む。ユーザは、そのような入力／出力装置を通してコマンドを供給することにより装置１０の動作をコントロールすることができる。装置３２には、ビジュアル情報及び状態データを与えるディスプレイ１４（図１）及び他のコンポーネントのようなディスプレイ及びオーディオ装置が含まれる。入力／出力装置３２のディスプレイ及びオーディオコンポーネントは、音を生成するスピーカ及び他の装置のようなオーディオ装置も備えている。もし必要があれば、入力／出力装置３２は、外部ヘッドホーン及びモニタのためのジャック及び他のコネクタのようなオーディオ／ビデオインターフェイス装置を含む。
【００３９】
ワイヤレス通信回路３４は、１つ以上の集積回路で形成された高周波（ＲＦ）トランシーバ回路、電力増幅器回路、低ノイズ入力増幅器、受動的ＲＦコンポーネント、１つ以上のアンテナ、及びＲＦワイヤレス信号を取り扱うための他の回路を備えている。又、ワイヤレス信号は、光を使用して（例えば、赤外線通信を使用して）送信することもできる。ワイヤレス通信回路３４は、複数の高周波通信帯域を取り扱うための高周波トランシーバ回路を含む。例えば、回路３４は、トランシーバ回路３６及び３８を含む。トランシーバ回路３６は、ＷｉＦｉ（登録商標）（ＩＥＥＥ８０２．１１）通信については２．４ＧＨｚ及び５ＧＨｚ帯域を取り扱い、そして２．４ＧＨｚのＢｌｕｅｔｏｏｔｈ（登録商標）通信帯域を取り扱う。回路３４は、８５０ＭＨｚ、９００ＭＨｚ、１８００ＭＨｚ、及び１９００ＭＨｚのＧＳＭ（登録商標）帯域、並びに２１００ＭＨｚのデータ帯域のようなセルラー電話帯域においてワイヤレス通信を取り扱うためのセルラー電話トランシーバ回路３８を使用する（一例として）。ワイヤレス通信回路３４は、必要に応じて、他の短距離及び長距離ワイヤレスリンクのための回路を含む。例えば、ワイヤレス通信回路３４は、グローバルポジショニングシステム（ＧＰＳ）受信装置、例えば、１５７５ＭＨｚのＧＰＳ信号を受信するか又は他の衛星ポジショニングデータを取り扱うためのＧＰＳ受信回路３７、ラジオ及びテレビ信号を受信するためのワイヤレス回路、ページング回路、等を含む。ＷｉＦｉ（登録商標）及びＢｌｕｅｔｏｏｔｈ（登録商標）リンク並びに他の短距離ワイヤレスリンクでは、典型的に、数十又は数百フィートにわたってデータを搬送するためにワイヤレス信号が使用される。セルラー電話リンク及び他の長距離リンクでは、典型的に、数千フィート又はマイルにわたってデータを搬送するためにワイヤレス信号が使用される。
【００４０】
ワイヤレス通信回路３４は、アンテナ４０を備えている。アンテナ４０は、適当なアンテナ形式を使用して形成される。例えば、アンテナ４０は、ループアンテナ構造、パッチアンテナ構造、逆Ｆ字型アンテナ構造、スロットアンテナ構造、平坦逆Ｆ字型アンテナ構造、螺旋アンテナ構造、これら設計の混成、等で形成される共振素子を伴うアンテナを含む。異なる帯域及び帯域の組み合わせに対して異なる形式のアンテナが使用されてもよい。例えば、ローカルワイヤレスリンクアンテナを形成するのに１つの形式のアンテナが使用され、そしてリモートワイヤレスリンクアンテナを形成するのに別の形式のアンテナが使用される。
【００４１】
ここに一例として時々述べる１つの適当な構成では、装置１０の上部アンテナ（即ち、図１の装置１０の領域２２に配置されたアンテナ４０）は、アンテナのある部分が、ベゼル１６の部分のような導電性装置構造体を含むような逆Ｆ字型アンテナ設計を使用して形成される。ギャップ１８は、アンテナの一部分として動作するベゼル１６の一部分の形状及びサイズを定義する上で助けとなる。
【００４２】
例示的な装置１０の断面側面図が図３に示されている。図３に示すように、ディスプレイ１４は、ベゼル１６を使用して装置１０の前面にマウントされる。ハウジング１２は、ベゼル１６から形成される側壁と、平面後部ハウジング構造体４２のような構造体から形成される１つ以上の後壁とを含む。構造体４２は、ガラス、セラミック、複合物、プラスチックのような誘電体、又は他の適当な材料から形成される。ディスプレイ１４、ベゼル１６、及び後部ハウジング壁構造体４２を装置１０内にマウントするのに、スナップ、クリップ、スクリュー、接着剤、及び他の構造体が使用される。
【００４３】
装置１０は、プリント回路板４６のようなプリント回路板を収容する。装置１０内のプリント回路板４６及び他のプリント回路板は、堅牢なプリント回路板材料（例えば、ファイバーガラス充填エポキシ）、又はポリマーのような柔軟な材料シートで形成される。柔軟なプリント回路板（フレックス回路）は、例えば、ポリイミドの柔軟なシートから形成される。
【００４４】
プリント回路板４６は、相互接続部４８のような相互接続部を含む。この相互接続部４８は、導電性トレース（例えば、金メッキされた銅又は他の金属のトレース）から形成される。コネクタ５０のようなコネクタが、半田又は導電性接着剤を使用して相互接続部４８に接続される（一例として）。プリント回路板４６には、集積回路や、抵抗器、キャパシタ及びインダクタのような個別コンポーネントや、他の電子部品がマウントされる。
【００４５】
アンテナ４０は、アンテナフィード端子を有する。例えば、アンテナ４０は、正のアンテナフィード端子５８のような正のアンテナフィード端子と、接地アンテナフィード端子５４のような接地アンテナフィード端子とを有する。図３に示す構成では、同軸ケーブル５２のような伝送線経路が、端子５８及び５４から形成されたアンテナフィードと、コンポーネント４４内のトランシーバ回路との間に、コネクタ５０及び相互接続部４８を経て結合される。これは、単なる例示に過ぎない。適当な構成（例えば、プリント回路板上のトレースから形成された伝送線、等）を使用して装置１０のアンテナ４０とトランシーバ回路との間に高周波アンテナ信号が伝送される。
【００４６】
コンポーネント４４は、図２のトランシーバ（受信器）回路３７及びトランシーバ回路３６、３８を実施するための１つ以上の集積回路を含む。コネクタ５０は、例えば、プリント回路板４６に接続された同軸ケーブルコネクタである。ケーブル５２は、同軸ケーブル又は他の伝送線である。端子５８は、伝送線５２の正の導体（例えば、同軸ケーブルの中心コネクタ５６）に結合される。端子５４は、伝送線５２の接地導体（例えば、同軸ケーブルの外側導電性編組導体）に接続される。必要に応じて、装置１０のトランシーバをアンテナ４０に結合するための他の構成体が使用されてもよい（例えば、プリント回路上に形成された伝送線を使用して）。図３の構成は、単なる例示に過ぎない。
【００４７】
アンテナ４０（即ち、図１の領域２２に配置された装置１０の上部アンテナ）は、逆Ｆ字型設計を使用して形成される。例示的な逆Ｆ字型アンテナ構成体が図４に示されている。図４に示すように、逆Ｆ字型アンテナ４０は、接地部６０のような接地部と、アンテナ共振素子６６のようなアンテナ共振素子とを備えている。
【００４８】
接地平面又は接地平面素子とも時々称される接地部６０は、１つ以上の導電性構造体（例えば、プリント回路板４６上の平らな導電性トレース、装置１０の内部構造部材、回路板４６の電気的コンポーネント４４、回路板４６にマウントされた高周波シールド缶、ベゼル１６の部分のようなハウジング構造体、等）から形成される。
【００４９】
アンテナ共振素子６６は、アーム６２のような主共振素子アームと、脚Ｆのようなフィード脚と、脚Ｓ１のような短絡脚とを有する。脚Ｓ１及びＦは、時々、共振素子６６のアーム又は岐路とも称される。短絡脚Ｓ１は、アンテナ共振素子の主アーム６２と接地部６０との間に短絡部を形成する。アンテナ４０は、アンテナフィード脚Ｆの正のアンテナフィード端子５８と接地アンテナフィード端子５４との間に高周波トランシーバ回路を結合することによりフィードされる。
【００５０】
ある装置環境においては、図４に示す形式の逆Ｆ字型アンテナは、望ましい以上のスペースを消費する。図５に示すように、１つ以上の屈曲部を有するアンテナ共振素子をアンテナ４０に設けることによりスペースの消費が最小とされる。図５に示すように、アンテナ４０は、接地部６０のような接地部と、アンテナ共振素子６６のようなアンテナ共振素子とを含む。短絡脚Ｓ１は、アーム６２を接地部６０に接続する。フィード脚Ｆは、アーム６２をアンテナフィード端子５８に接続する。主共振素子アーム６２は、屈曲部６４のような屈曲部を有する。
【００５１】
屈曲部６４は、適当な角度を有する（例えば、直角、鋭角、斜角、等）。図５の例では、屈曲部６４は、１８０°の角度を有する（即ち、屈曲部６４は、アーム６２に折り返し部を形成する）。屈曲部６４の存在により、アーム６２は、２つの平行セグメント６２Ａ及び６２Ｂを有する。
【００５２】
アーム部分６２Ａ及びアーム部分６２Ｂは、図５の例では、互いに平行に延びるが、これは、単なる例示に過ぎない。アンテナ共振素子アーム６２には、一般的に、異なる角度の屈曲部及び異なる数の屈曲部が設けられる。従って、アーム６２には、２つ以上の共振素子アームセグメントがあってもよく、そしてアーム６２には、１つ、２つ又は３つ以上の対応する屈曲部があってもよい。又、アーム６２には、１つ以上の個別の岐路、局部的に巾が増加又は減少した領域、又は他の特徴部があってもよい。これらの特徴部は、設計目標を受け容れ、アンテナ４０の周波数応答を変更し、等のためにアンテナ４０の幾何学形状を改善するのに使用される。
【００５３】
アンテナ４０は、複数の周波数帯域にわたって満足な性能を示すことが望まれる。例えば、アンテナ４０は、１５７５ＭＨｚの第１通信帯域（例えば、ＧＰＳ信号を取り扱うための）と、２．４ＧＨｚの第２通信帯域（例えば、Ｂｌｕｅｔｏｏｔｈ（登録商標）及びＩＥＥＥ８０２．１１信号を取り扱うための）とを取り扱うことが望ましい。多帯域動作をサポートするために装置１０に使用される例示的アンテナ構成が図６に示されている。
【００５４】
図６に示したように、アンテナ４０は、共振素子アーム６２が屈曲部６４においてそれ自身折り返される逆Ｆ字型構成を有する。屈曲部６４が存在するために、アームセグメント６２Ａ及び６２Ｂは、互いに平行に延びる。フィード脚Ｆは、共振素子アーム６２を正のアンテナフィード端子５８に接続する。アンテナ４０は、正のアンテナフィード端子５８及び接地アンテナフィード端子５４を使用してフィードされる。例えば、伝送線５２の正の導体は、正のアンテナフィード端子５８に結合され、そして伝送線５２の接地導体は、接地アンテナフィード端子５４（従って、接地アンテナフィード端子５４に接続された接地部６０の導電性部分）に結合される。
【００５５】
ハウジング構造体１６は、アンテナ４０のある部分を形成するのに使用される。図６に示すように、ハウジング構造体１６は、装置１０の左縁に沿ったベゼルセグメント１６Ａ−１及び１６Ａ−２と、装置１０の右縁に沿ったベゼルセグメント１６Ｃと、装置１０の下縁に沿ったベゼルセグメント１６Ｂと、装置１０の上縁に沿ったベゼルセグメント１６Ｄ−１及び１６Ｄ−２とを含む。
【００５６】
短絡脚Ｓ１は、ベゼルセグメント１６Ａ−１を使用して形成される。セグメント１６Ａ−１及び１６Ａ−２は、ノード７２に電気的に接続される（即ち、セグメント１６Ａ−１及び１６Ａ−２は、ベゼル１６の非中断長さの一部分である）。ベゼルセグメント１６Ｄ−１は、主共振素子アームセグメント６２Ａを形成するのに使用される。セグメント６２Ｂは、ハウジング１２の内部で誘電体部材に形成された導電性金属トレースから作られる（一例として）。必要に応じて、アーム６２の長さに沿って１つ以上の位置にスプリング、溶接部及び他の導電性部材が置かれる。ギャップ１８は、ベゼルセグメント１６Ｄ−１とベゼルセグメント１６Ｄ−２を分離する。それ故、ギャップ１８の位置は、１６Ｄ−１及び共振アームセグメント６２Ａの長さを定義する。共振素子アームセグメント６２Ｂの長さは、セグメント６２Ｂを形成する導電性トレース又は他の導電性構造体のサイズ及び形状により定義される。必要に応じて、ベゼルセグメント１６Ａ−２、１６Ｄ−２、１６Ｃ及び１６Ｂの幾つか又は全部が接地平面６０に短絡される。又、これらのセグメントの幾つか又は全部が付加的なアンテナ（例えば、装置１０の下部アンテナ）の形成にも使用される。接地平面６０は、プリント回路板上のトレース、入力／出力ポートコネクタに関連した構造体のような導電性構造体、シールド缶、集積回路、プリント回路板上のトレース、ハウジングフレーム部材、及び他の導電性材料から形成される。
【００５７】
短絡脚Ｓ１に平行に短絡脚Ｓ２が存在することは、アンテナ４０が複数の帯域において信号を取り扱う上で助けとなる。脚Ｓ２を伴う構成及び伴わない構成におけるアンテナ４０に対応する図７のスミスチャートを参照すれば、短絡脚Ｓ２の影響が理解されよう。図７のスミスチャートにおいて、ポイント７４は、５０オームインピーダンス（即ち、図３の伝送線５２のような伝送線に整合するのに適したインピーダンス）を表わす。ポイント７４から実質的なずれがある周波数では、インピーダンス不整合のためにアンテナ性能が低下する。ポイント７４への距離が最小であるアンテナ動作の周波数では、インピーダンス整合が一般的に満足である（即ち、アンテナが共振を示す）。
【００５８】
曲線７６は、短絡脚Ｓ２がない場合のアンテナ４０の性能に対応する。曲線７６の下部帯域セグメントＬＢは、第１の当該通信帯域（例えば、１５７５ＭＨｚのＧＰＳ帯域）に存在する。上部帯域セグメントＨＢは、第２の当該通信帯域（例えば、Ｂｌｕｅｔｏｏｔｈ（登録商標）及びＷｉＦｉ（登録商標）信号に関連した２．４ＧＨｚ帯域）に存在する。
【００５９】
短絡脚Ｓ２がない場合には、下部帯域セグメントＬＢは、望ましいものより大きなポイント７４からの距離に存在し、一方、上部帯域セグメントＨＢは、ポイント７４から受け容れられる短い距離内にある。下部帯域及び上部帯域の両性能が同時に満足されるようにアンテナ４０の性能を同調するために、短絡脚Ｓ２がアンテナ４０に含まれる。短絡脚Ｓ２が存在する場合には、アーム６２から、短絡脚Ｓ１と平行に存在する接地部６０へ付加的なシャントインダクタンスが生じる。この付加的なシャントインダクタンスは、下部帯域セグメントＬＢの位置を、図７のチャートにおいて、下部帯域セグメントＬＢ’により占有される位置へ移動させる。セグメントＬＢ’は、ポイント７４に受け容れられるほど接近し、従って、アンテナ４０は、短絡脚Ｓ２が存在するときには満足な下部帯域（ＧＰＳ）性能を示す。短絡脚Ｓ２を含ませたことで、上部帯域セグメントＨＢの位置を若干変更させる傾向があるが、アンテナ４０の上部帯域セグメントに対する影響は、セグメントＬＢ’に関連した改良された下部帯域性能に比して一般的に最小となる。
【００６０】
短絡脚Ｓ２を伴う状態及び伴わない状態でアンテナ４０がどのように機能するかを示すグラフが図８及び９に示されている。図８のグラフでは、短絡脚Ｓ２をもたないアンテナ（即ち、図５のアンテナ４０）に対する周波数の関数として定在波比（ＳＷＲ）の値がプロットされている。図９のグラフでは、短絡脚Ｓ２が存在するアンテナ（即ち、図６のアンテナ４０）に対する周波数の関数として定在波比の値がプロットされている。
【００６１】
図８のグラフに示すように、短絡脚Ｓ２をもたないアンテナは、第２のワイヤレス通信帯域（即ち、２．４ＧＨｚのＢｌｕｅｔｏｏｔｈ（登録商標）／ＷｉＦｉ（登録商標）帯域のような周波数ｆ2における第２の帯域）に共振を示すが、第１の周波数帯域（即ち、１５７５ＭＨｚのＧＰＳ周波数のような周波数ｆ1における第１の帯域）には著しい共振を示さない。この形式のアンテナは、第２の周波数帯域においてワイヤレス通信を取り扱うのに使用される。
【００６２】
図９のグラフに示すように、図６のアンテナのような、短絡脚Ｓ２を伴うアンテナは、第１の帯域（即ち、１５７５ＭＨｚのＧＰＳ周波数のような周波数ｆ1における第１の帯域）及び第２の帯域（即ち、２．４ＧＨｚのＢｌｕｅｔｏｏｔｈ（登録商標）／ＷｉＦｉ（登録商標）帯域のような周波数ｆ2における第２の帯域）の両方に共振を示す。図９に示す形式の周波数応答をもつアンテナは、２つの帯域における高周波信号を取り扱うことができるので、この形式のアンテナは、時々、多帯域アンテナ又は二重帯域アンテナと称される。２つ以上の帯域をカバーするアンテナの使用は、複数の個別のアンテナ構造体を設ける必要性を回避し、これにより、電子装置１０内で消費されるスペースの量を最小にする。必要に応じて、アンテナ４０は、２つより多くの帯域（例えば、３つ以上）を取り扱うように構成される。図９の二重帯域例は、単なる例示に過ぎない。
【００６３】
図６のアンテナ４０を実施するのに使用される例示的構成が図１０に示されている。図１０に示すように、図１０のアンテナ４０は、共振素子アームセグメント６２Ａ及び６２Ｂで形成された主アンテナ共振素子アームを備えている。アーム６２Ａは、ベゼルセグメント１６Ｄ−１で形成される。アーム６２Ｂは、誘電体部材８８上の導電性トレースから形成される。部材８８は、プラスチック、ガラス、セラミック、複合物、他の材料、又はこれらの材料の組み合わせで形成される。１つ以上の構造体を合成して、部材８８を形成することができる。部材８８にアームセグメント６２Ｂを形成する導電性材料は、銅、金メッキされた銅、等の金属から形成される。金属は、部材８８上に直接形成されてもよいし、（例えば、接着剤を使用して）部材８８に取り付けられるフレックス回路又は他の部品の一部分として製造されてもよい。
【００６４】
スプリング７８のような導電性構造体は、部材８８上の導電性トレースの端８２をベゼルセグメント１６Ｄ−１の端８４に電気的に接続するのに使用される。スプリング７８は、金属で形成され、そして溶接８０を使用してベゼルセグメント１６Ｄ−１の端８４に取り付けられる。スプリング７８の端８６（即ち、溶接部８０の端とは反対のスプリング７８の端）は、部材８８上の導電性トレースを押して、電気的接続を形成する。必要に応じて、他の接続構成（例えば、半田、付加的な溶接部、固定具、等を伴う）が使用されてもよい。
【００６５】
図１０の構成において、短絡脚Ｓ２及びフィード脚Ｆは、（図６に概略的に示すように）共振素子アームセグメント６２Ｂとの直接的な電気的接続を形成せずに共振素子アームセグメント６２Ｂの上又は下を通過する。これらの脚Ｓ２及びＦ１は、スクリュー、スプリング、又は他の適当な導電性構造体を使用して形成される。短絡脚Ｓ１は、ベゼル１６の一部分（即ち、ベゼルセグメント１６Ａ）から形成される。接地部６０は、図６を参照して述べたように、プリント回路板構造体、ベゼル１６の部分、装置１０のハウジングの他の部分、又は他の適当な導電性構造体を使用して形成することができる。
【００６６】
ギャップ１８は、プラスチック、セラミック、エポキシ、複合物、ガラス、他の誘電体又はそれら材料の組み合わせで埋められる。
【００６７】
一実施形態によれば、周囲を有する電子装置の逆Ｆ字型アンテナにおいて、周囲に導電性構造体で少なくとも部分的に形成された共振素子アームと、その共振素子アームに接続されたフィード脚と、接地部と、共振素子アームの端を接地部に接続する短絡脚と、フィード脚に接続された第１のアンテナフィード端子と、接地部に結合された第２のアンテナフィード端子と、を備えたアンテナが提供される。
【００６８】
別の実施形態によれば、導電性構造体は、電子装置の周囲を取り巻く導電性ベゼルを含み、そして導電性ベゼルは、少なくとも１つのギャップによって遮断される、アンテナが提供される。
【００６９】
別の実施形態によれば、誘電体部材と、この誘電体部材上の導電性構造体とを更に備え、共振素子アームは、導電性ベゼルのセグメントから部分的に及び誘電体部材上の導電性構造体から部分的に形成される、アンテナが提供される。
【００７０】
別の実施形態によれば、共振素子アームの一部分を形成するスプリングを更に備えたアンテナが提供される。
【００７１】
別の実施形態によれば、スプリングは、その第１端が導電性ベゼルのセグメントに接続され、そしてその第２端が誘電体部材上の導電性トレースに接続される、アンテナが提供される。
【００７２】
別の実施形態によれば、スプリングは、導電性ベゼルのセグメントに溶接される、アンテナが提供される。
【００７３】
別の実施形態によれば、短絡脚と並列に共振素子アームと接地部との間に接続された付加的な短絡脚を更に備えた、アンテナが提供される。
【００７４】
別の実施形態によれば、短絡脚は、導電性ベゼルの第１セグメントから少なくとも部分的に形成され、そして共振素子アームは、導電性ベゼルの第２セグメントから少なくとも部分的に形成される、アンテナが提供される。
【００７５】
別の実施形態によれば、誘電体部材と、この誘電体部材上の導電性トレースとを更に備え、共振素子アームは、導電性ベゼルの第２セグメントから部分的に及び誘電体部材上の導電性トレースから部分的に形成される、アンテナが提供される。
【００７６】
別の実施形態によれば、導電性ベゼルの第２セグメントと導電性トレースとの間に接続されたスプリングを更に備えたアンテナが提供される。
【００７７】
一実施形態によれば、周囲縁を有する電子装置の逆Ｆ字型アンテナにおいて、縁の１つに沿って置かれた導電性ハウジング構造体のセグメントから少なくとも部分的に形成された共振素子アームと、接地部と、共振素子アームを接地部に接続する短絡脚とを備えた、アンテナが提供される。
【００７８】
別の実施形態によれば、導電性ハウジング構造体のセグメントは、電子装置の実質的に全ての周囲縁を取り巻く導電性ベゼルの一部分を含み、逆Ｆ字型アンテナは、更に、共振素子アームに接続されたフィード脚を含む、逆Ｆ字型アンテナが提供される。
【００７９】
別の実施形態によれば、短絡脚は、導電性ベゼルの一部分で形成される、逆Ｆ字型アンテナが提供される。
【００８０】
別の実施形態によれば、共振素子アームを接地部に接続する第２の短絡脚を更に備えた逆Ｆ字型アンテナが提供される。
【００８１】
別の実施形態によれば、共振素子アームは、少なくとも１つの１８０°屈曲部を含む、逆Ｆ字型アンテナが提供される。
【００８２】
別の実施形態によれば、誘電体部材及び誘電体部材上の導電性トレースを更に備え、共振素子は、その第１部分が導電性ハウジング構造体のセグメントから形成され、そしてその第２部分が導電性トレースから形成される、逆Ｆ字型アンテナが提供される。
【００８３】
別の実施形態によれば、導電性ハウジング構造体は、電子装置の周囲縁を取り巻く導電性ベゼルの一部分を含み、共振素子アームは、屈曲部を有し、そして導電性ベゼルは、共振素子アームの屈曲部にギャップを有する、逆Ｆ字型アンテナが提供される。
【００８４】
一実施形態によれば、４つの縁を有するハンドヘルド電子装置において、４つの縁の各々に沿って延びる導電性ベゼルであって、少なくとも１つのギャップを有している導電性ベゼルと、そのギャップに隣接する導電性ベゼルのセグメントから形成されるアンテナ共振素子を有する逆Ｆ字型アンテナとを備えたハンドヘルド電子装置が提供される。
【００８５】
別の実施形態によれば、逆Ｆ字型アンテナは、接地部と、アンテナ共振素子の端をその接地部に接続する短絡脚とを含む、ハンドヘルド電子装置が提供される。
【００８６】
別の実施形態によれば、接地部に接続された第１のアンテナフィード端子と、第２のアンテナフィード端子と、アンテナ共振素子と第２のアンテナフィード端子との間に接続されたフィード脚と、その短絡脚と平行な付加的な短絡脚とを更に備え、その付加的な短絡脚は、アンテナ共振素子と接地部との間に接続され、短絡脚は、導電性ベゼルから少なくとも部分的に形成され、そしてアンテナ共振素子アームは、導電性ベゼルとは個別の導電性構造体を含む、ハンドヘルド電子装置が提供される。
【００８７】
以上の説明は、本発明の原理を単に例示したものに過ぎず、当業者であれば、本発明の範囲及び精神から逸脱せずに種々の変更がなされ得るであろう。以上の実施形態は、ここに具現化されてもよいし、又は任意の組み合わせで実施されてもよい。
【符号の説明】
【００８８】
１０：装置
１２：ハウジング
１４：ディスプレイ
１６：ベゼル
１８：ギャップ
１９：ボタン
２０、２２：領域
２８：記憶及び処理回路
３０：入力／出力回路
３２：入力／出力装置
３４：ワイヤレス通信回路
３６、３７、３８：トランシーバ回路
４０：逆Ｆ字型アンテナ
４２：ハウジング構造体
４６：プリント回路板
４８：相互接続部
５０：コネクタ
５２：ケーブル
５４：接地アンテナフィード端子
５８：正のアンテナフィード端子
６０：接地部
６２：主共振素子アーム
６２Ａ、６２Ｂ：アーム部分
６４：屈曲部
６６：アンテナ共振素子
【図１】
0006028313.tif 000002
【図２】
0006028313.tif 000003
【図３】
0006028313.tif 000004
【図４】
0006028313.tif 000005
【図５】
0006028313.tif 000006
【図６】
0006028313.tif 000007
【図７】
0006028313.tif 000008
【図８】
0006028313.tif 000009
【図９】
0006028313.tif 000010
【図１０】
0006028313.tif 000011